(57)【要約】【課題】  特にレンズを自由に交換して様々な写真を撮影することができるレンズユニットを提供する。【解決手段】  本発明に係るダブル式レンズユニットは、保持リムと、装着リムと、固定レンズと、調整リムと、回動レンズと、駆動柱と、押圧リムを有し、該保持リムは、内環状部と、該内環状部の内周縁から後側へ延設される装着環状部と、該内環状部の外周縁から前側へ延設される環装環状部と、該環装環状部に成形される弧状案内溝を備え、該装着リムは、内環状部及び装着環状部に環装され、該固定レンズは、内環状部の内周縁に固定係合され、該調整リムは、保持リムの環装環状部の内部に回転可能に位置し、該回動レンズは、調整リムと内環状部との間に位置すると共に、該調整リムの内側面に固定され、該駆動柱は、各弧状案内溝にそれぞれ貫設され、該押圧リムは、保持リムの環装環状部の内部に着脱可能に嵌め込まれると共に、保持リムの内環状部との間に調整リム及び回動レンズが挟設される。【選択図】  図１
2018097328.tif 000002
【特許請求の範囲】
【請求項１】
径方向に設けられる内環状部と、該内環状部の内周縁から軸方向に沿って後側へ延設される装着環状部と、該内環状部の外周縁から前側へ延設される環装環状部と、該環装環状部の外周面から内周面まで貫通するように、該環装環状部に弧状に成形される少なくとも１つの弧状案内溝とを備える保持リムと、
前記内環状部及び装着環状部に環装されるように、該保持リムに係合される装着リムと、
前記保持リムの内環状部の内周縁の内部に位置するように、前記内環状部の内周縁に固定係合される固定レンズと、
前記保持リムの環装環状部の内部に回転可能に位置すると共に、該保持リムにおける、内環状部に面する側に環状内側面が設けられる調整リムと、
前記調整リムと保持リムの内環状部との間に位置すると共に、該調整リムの内側面に固定される回動レンズと、
前記弧状案内溝と対応するように、前記各弧状案内溝にそれぞれ貫設される駆動柱と、前記保持リムの環装環状部の内部に着脱可能に嵌め込まれると共に、前記保持リムの内環状部との間に調整リム及び回動レンズが挟設される押圧リムと、を有することを特徴とするダブル式レンズユニット。
【請求項２】
前記弧状案内溝の弧度が９０度よりも小さいことを特徴とする請求項１に記載のダブル式レンズユニット。
【請求項３】
前記保持リムにおける、環装環状部の相対する両側にそれぞれ弧状案内溝が形成され、該各弧状案内溝に駆動柱が貫設され、該駆動柱が弧状案内溝を通過して調整リムを押付けて固定することを特徴とする請求項２に記載のダブル式レンズユニット。
【請求項４】
前記固定レンズが、粘着剤により保持リムの内環状部に固定され、前記回動レンズが、粘着剤により調整リムに固定されることを特徴とする請求項１乃至３の何れか１項に記載のダブル式レンズユニット。
【請求項５】
前記装着リムの後端に、結合環状部が保持リムの装着環状部の周囲に位置するように延設され、該結合環状部の外周面に外ネジ山が形成されることを特徴とする請求項１乃至３の何れか１項に記載のダブル式レンズユニット。
【請求項６】
前記装着リムの後端に、結合環状部が保持リムの装着環状部の周囲に位置するように延設され、該結合環状部の外周面に外ネジ山が形成されることを特徴とする請求項４に記載のダブル式レンズユニット。
【請求項７】
前記固定レンズ及び回動レンズが偏光フィルタであることを特徴とする請求項１乃至３の何れか１項記載のダブル式レンズユニット。
【発明の詳細な説明】
【技術分野】
【０００１】
本発明は、特にレンズを自由に交換して様々な写真を撮影することができるレンズユニットに関するものである。
【背景技術】
【０００２】
フィルタは、カメラに装着して撮影を補助するものであり、レンズユニットを保護するだけでなく、波長が特定範囲内の光を選択的に吸収して、特殊な写真を撮影することができる。
フィルタの中で最も使用頻度の高いものが、偏光フィルタまたは減光（ＮＤ）フィルタであり、そのうち偏光フィルタは、特定方向の光しか通過しなく、自然光を偏光に変更できることから、非金属の表面や、水面などの反射を防ぎ、色彩を濃くしてコントラストを高めることができる。
一方、減光フィルタは、光量を減らし、シャッタースピードを遅くすることにより、光が強くても、絞り値を大きくして被写界深度が浅い写真を撮ることができる。
【０００３】
従来のレンズユニットは通常、一枚のレンズしか装着しないことから、使用者は所望の効果を得るために、複数枚のフィルタを重ねて使用してもよいが、複数枚のフィルタを用意しなければならず、撮影画角も狭くなる。このような欠点を解決するために、２枚のレンズを装着可能なフィルタユニットが開発された。
【０００４】
既存の２枚のフィルタを装着可能なフィルタユニットは、一方のフィルタが固定されると共に、他方のフィルタが回動可能に装着され、フィルタとの間の角度が調整可能である。以下にて、２枚の偏光フィルタを用いた場合を例として説明する。この２枚の偏光フィルタを互いに平行に配置した場合は、偏光フィルタを通過する光量が一番多く、明るくなる偏光効果を有し、この２枚の偏光フィルタを直交に配置した場合は、偏光フィルタを通過する光量が最も少なく、暗くなる偏光効果を有する。つまり、２枚の偏光フィルタを同時に使用すれば、反射を除去しつつ色彩も濃くでき、さらに減光の効果もある。また、使用者が２枚の偏光フィルタを平行から直交に調整することができ、故に、２枚の偏光フィルタとの間の角度を０度乃至９０度に調整すれば、偏光及び減光の効果が得られる。
【０００５】
また、その２枚の偏光フィルタの光軸との間に０度乃至９０度の角度を有する場合には、十字線状の暗状態が発生する。既存のフィルタユニットは、回動可能な偏光フィルタを自由に回転させて調整し、すなわち、該偏光フィルタの回動角度に制限はないことから、使用者は、十字線状の暗状態が発生しないように偏光フィルタを慎重に回転させなければならないので、操作上非常に不便である。
【先行技術文献】
【特許文献】
【０００６】
【特許文献１】特開2016-146084号公報
【発明の概要】
【発明が解決しようとする課題】
【０００７】
既存のフィルタユニットは、偏光フィルタのレンズをリムに取り付けてから、複数のカメラリムの間に装着されるため、使用する時に、偏光フィルタと対応する装着リムを回転させると、偏光フィルタを調整することはできるが、その装着リムの幅が狭すぎて回転操作が難しくなるとの問題があることから、既存のフィルタユニットの操作上非常に不便であるので、改良する必要があった。
【課題を解決するための手段】
【０００８】
本発明に係るダブル式レンズユニットは、
径方向に設けられる内環状部と、該内環状部の内周縁から軸方向に沿って後側へ延設される装着環状部と、該内環状部の外周縁から前側へ延設される環装環状部と、該環装環状部の外周面から内周面まで貫通するように、該環装環状部に弧状に成形される少なくとも１つの弧状案内溝とを備える保持リムと、
前記内環状部及び装着環状部に環装されるように、該保持リムに係合される装着リムと、
前記保持リムの内環状部の内周縁の内部に位置するように、前記内環状部の内周縁に固定係合される固定レンズと、
前記保持リムの環装環状部の内部に回転可能に位置すると共に、該保持リムにおける、内環状部に面する側に環状内側面が設けられる調整リムと、
前記調整リムと保持リムの内環状部との間に位置すると共に、該調整リムの内側面に固定される回動レンズと、
前記弧状案内溝と対応するように、前記各弧状案内溝にそれぞれ貫設される駆動柱と、
前記保持リムの環装環状部の内部に着脱可能に嵌め込まれると共に、前記保持リムの内環状部との間に調整リム及び回動レンズが挟設される押圧リムと、を有するものである。
【０００９】
かかるダブル式レンズユニットにおいて、前記弧状案内溝の弧度が９０度よりも小さいことが好ましい。
【００１０】
かかるダブル式レンズユニットにおいて、前記保持リムにおける、環装環状部の相対する両側にそれぞれ弧状案内溝が形成され、該各弧状案内溝に駆動柱が貫設され、該駆動柱が弧状案内溝を通過して調整リムを押付けて固定することが好ましい。
【００１１】
かかるダブル式レンズユニットにおいて、前記固定レンズが、粘着剤により保持リムの内環状部に固定され、前記回動レンズが、粘着剤により調整リムに固定されることが好ましい。
【００１２】
かかるダブル式レンズユニットにおいて、前記装着リムの後端に、結合環状部が保持リムの装着環状部の周囲に位置するように延設され、該結合環状部の外周面に外ネジ山が形成されることが好ましい。
【００１３】
かかるダブル式レンズユニットにおいて、前記固定レンズ及び回動レンズが偏光フィルタであることが好ましい。
【発明の効果】
【００１４】
前記固定レンズ及び回動レンズが偏光フィルタである場合、駆動柱を保持リムの弧状案内溝に沿って摺動させて回動レンズを回転させることによって調整し、偏光及び減光を行う。また、その弧状案内溝は、保持リムにおける十字線状の暗状態が発生しない箇所に形成することによって、駆動柱が弧状案内溝により回転可能な角度を制限することから、使用者が回動レンズを固定レンズに対して回転させても十字線状の暗状態が発生する角度に調整されることはない。また、その駆動柱は突起状を呈することから、使用者は簡単な操作により回動レンズを調整することができるので、使用上非常に便利である。
【図面の簡単な説明】
【００１５】
【図１】本発明の部分拡大側面断面図である。
【図２】本発明の側面分解側面断面図である。
【図３】本発明の部分拡大分解側面断面図である。
【図４】本発明における保持リムの斜視図である。
【図５】本発明における保持リムの側面断面図である。
【発明を実施するための形態】
【００１６】
図１及び図２に示すように、本発明に係るダブル式レンズユニットは、保持リム１０と、装着リム２０と、固定レンズ３１と、調整リム４０と、回動レンズ３２と、少なくとも１つの駆動柱５０と、押圧リム６０とを有する。
【００１７】
図３に示すように、前記保持リム１０は、内環状部１１と、装着環状部１２と、環装環状部１３と、少なくとも弧状案内溝１４とを備え、そのうち内環状部１１は、径方向に延設され、内周縁及び外周縁を備え、該装着環状部１２は、内環状部１１の内周縁から軸方向に保持リム１０の後側へ向うように延設され、該環装環状部１３は、内環状部１１の外周縁から軸方向に保持リム１０の前側へ向うように延設される。また、図４及び図５に示すように、前記弧状案内溝１４は、環装環状部１３の外周面から内周面まで貫通するように、環装環状部１３に弧状に成形され、各弧状案内溝１４の弧度は、９０度よりも小さい。
【００１８】
前記装着リム２０は、保持リム１０の内環状部１１及び装着環状部１２に環装されると共に、保持リム１０に係合され、該装着リム２０の後端に結合環状部２１が保持リム１０の装着環状部１２の周囲に位置するように延設され、該結合環状部２１の外周面に外ネジ山２２が形成され、該外ネジ山２２は、カメラの前端の内ネジ山に螺合できるため、本発明のダブル式レンズユニットをカメラに装着することができる。
【００１９】
前記固定レンズ３１は、保持リム１０の内環状部１１の内周縁に位置するように固定係合される。
【００２０】
前記調整リム４０は、回転可能に保持リム１０の環装環状部１３の内部に位置し、保持リム１０における、内環状部１１に面する側に環状内側面が設けられる。
【００２１】
前記回動レンズ３２は、調整リム４０と保持リム１０の内環状部１１との間に位置すると共に、調整リム４０の内側面に固定され、調整リム４０と同期回転できる。
【００２２】
図１に示すように、本発明の実施例において、その固定レンズ３１は、粘着剤３１１により保持リム１０の内環状部１１に固定され、回動レンズ３２は、粘着剤３２１により調整リム４０に固定される。また、他の実施例においては、環状のスペーサが回動レンズ３２の何れか一側面の周縁に貼り付けられてから、回動レンズ３２がスペーサにより調整リム４０の環状内側面に貼り付けられる。すなわち、スペーサを回動レンズ３２と調整リム４０との間に挟設させ、該スペーサにより回動レンズ３２と調整リム４０とを固定する。
【００２３】
前記駆動柱５０はそれぞれ、調整リム４０に押付けられるように、対応する弧状案内溝１４に貫設され、該駆動柱５０が弧状案内溝１４に沿って移動させることにより、調整リム４０を回転させる。
【００２４】
図２、図４、図５に示すように、本発明の実施例において、その保持リム１０における、環装環状部１３の相対する両側にそれぞれ弧状案内溝１４が形成され、該各弧状案内溝１４に駆動柱５０が貫設され、該駆動柱５０が弧状案内溝１４を通過して調整リム４０を押付けて固定する。
【００２５】
前記押圧リム６０は、保持リム１０の環装環状部１３の内部に着脱可能に嵌め込まれ、これによれば、調整リム４０及び回動レンズ３２は、押圧リム６０と保持リム１０の内環状部１１との間に挟設されて、所定の位置に制限される。尚、本実施例においては、押圧リム６０が螺合手段により環装環状部１３に嵌め込まれる。
【００２６】
前記固定レンズ３１及び回動レンズ３２が偏光フィルタである場合は、その駆動柱５０を保持リム１０の弧状案内溝１４に沿って摺動させることによって回動レンズ３２を回転させて調整し、偏光及び減光を行う。また、その弧状案内溝１４を、保持リム１０における十字線状の暗状態が発生しない箇所に形成することによって、駆動柱５０が弧状案内溝１４により回転可能な角度を制限することから、使用者が回動レンズ３２を固定レンズ３１に対して回転させても十字線状の暗状態が発生する角度に調整されることはない。また、その駆動柱５０は突起状を呈することから、使用者は簡単な操作により回動レンズ３２を調整することができるので、使用上非常に便利である。
【符号の説明】
【００２７】
１０ 保持リム
１１ 内環状部
１２ 装着環状部
１３ 環装環状部
１４ 弧状案内溝
２０ 装着リム
２１ 結合環状部
２２ 外ネジ山
３１ 固定レンズ
３２ 回動レンズ
４０ 調整リム
５０ 駆動柱
６０ 押圧リム
【図１】
2018097328.tif 000003
【図２】
2018097328.tif 000004
【図３】
2018097328.tif 000005
【図４】
2018097328.tif 000006
【図５】
2018097328.tif 000007